(57)【要約】【課題】  不正具の侵入を検出して、不正行為による遊技を確実に防止する。【解決手段】  メダル投入部４より投入されるメダルを案内して筐体内に取込むメダル通路１６に、投光器と受光器とからなるメダル検知センサＳ１、Ｓ２を設け、メダルがメダル通路１６を上流側から下流側へ移動し、投光器より受光器に向かって発せられる光を遮断することにより、メダルの通過を検出するようにした遊技機において、メダル通路１６に、メダル検知センサＳ１、Ｓ２の投光器から発せられる光を受光し得ず、かつ投光器以外の他の投光器から発せられる光を受光可能な不正検知受光器２３を設ける。    【選択図】  図４
2006180962.tif 000002
【特許請求の範囲】
【請求項１】
メダル投入部より投入されるメダルを案内して筐体内に取込むメダル通路に、投光器と受光器とからなるメダル検知センサを設け、前記メダルが前記メダル通路を上流側から下流側へ移動し、前記投光器より受光器に向かって発せられる光を遮断することにより、前記メダルの通過を検出するようにした遊技機において、
前記メダル通路に、前記メダル検知センサの前記投光器から発せられる光を受光し得ず、かつ前記投光器以外の他の投光器から発せられる光を受光可能な不正検知受光器を設けたことを特徴とする遊技機。
【請求項２】
不正検知受光器を、メダル検知センサの受光器より上流側に設けたことを特徴とする請求項１記載の遊技機。
【請求項３】
不正検知受光器が、メダル検知センサの投光器以外の他の投光器から発せられる光を受光することにより、報知手段を作動させるようにしたことを特徴とする請求項１または２記載の遊技機。
【発明の詳細な説明】
【技術分野】
【０００１】
本発明は、例えばスロットマシン等の遊技機に係り、特に、メダル検知センサを誤作動させる不正行為が行われるのを防止しうるようにした遊技機に関する。
【背景技術】
【０００２】
スロットマシンのような遊技機は、遊技媒体であるメダルの真偽を選別するとともに、正規のメダルが正しく投入されたか否かを、上流側と下流側の２個のメダル検知センサにより検出して計数しうるようにしたメダルセレクターを備えている（例えば特許文献１、２参照）。
【特許文献１】特開２００２−２４８２１０号公報
【特許文献２】特開２００２−３３６４１６号公報
【発明の開示】
【発明が解決しようとする課題】
【０００３】
上記特許文献に記載されているメダル検知センサは、いずれも、投光器と受光器とからなる透過型のフォトマイクロセンサにより構成されるとともに、投光器から受光器に向けて発する光がメダルの通過に伴って、順次遮断されることにより、メダルの通過を検出して計数するようになっている。
【０００４】
そのため、メダル投入部からメダル検知センサ付近まで赤外線等の光を発射可能な発光素子を装着した不正具を差し込んで受光器に向けて光を投光し、メダル検知センサを誤作動させることによって、恰もメダルを実際に投入したかのように見せかけて、不正に遊技が行われる恐れがある。このような不正行為が行われると、遊技ホールは大きな損害を被ることとなる。
【０００５】
本発明は、上記問題点に鑑みてなされたもので、不正具の侵入を検出することにより、不正行為による遊技を確実に防止しうるようにした遊技機を提供することを目的としている。
【課題を解決するための手段】
【０００６】
本発明によると、上記課題は、次のようにして解決される。
（１）メダル投入口より投入されるメダルを案内して筐体内に取込むメダル通路に、投光器と受光器とからなるメダル検知センサを設け、前記メダルが前記メダル通路を上流側から下流側へ移動し、前記投光器より受光器に向かって発せられる光を遮断することにより、前記メダルの通過を検出するようにした遊技機において、前記メダル通路に、前記メダル検知センサの前記投光器から発せられる光を受光し得ず、かつ前記投光器以外の他の投光器から発せられる光を受光可能な不正検知受光器を設ける。
【０００７】
（２）上記(１)項において、不正検知受光器を、メダル検知センサの受光器より上流側に設ける。
【０００８】
（３）上記(１)または(２)項において、不正検知受光器が、メダル検知センサの投光器以外の他の投光器から発せられる光を受光することにより、報知手段を作動させる。
【発明の効果】
【０００９】
本発明によれば、次のような効果が奏せられる。
（ａ）請求項１記載の発明によると、メダル通路に、メダル検知センサの投光器から発せられる光を受光し得ず、かつメダル検知センサの投光器以外の他の投光器から発せられる光を受光可能な不正検知受光器を設けたことにより、光を投光可能な不正具の侵入を確実に検出して、メダル検知センサを誤作動させるような不正行為を防止することができる。
【００１０】
（ｂ）請求項２記載の発明によると、不正検知受光器を、メダル検知センサの受光器より上流側に設けたことにより、不正具によりメダル検知センサの受光器が誤作動させられる前に、不正具の侵入を検出することができ、不正行為をより確実に防止することができる。
【００１１】
（ｃ）請求項３記載の発明によると、不正検知受光器が、メダル検知センサの投光器以外の他の投光器から発せられる光を受光することにより、報知手段を作動させるため、遊技店は不正行為が発生したことを容易に知ることができる。
【発明を実施するための最良の形態】
【００１２】
以下、本発明の一実施形態を、図に基づいて説明する。図１は、本発明を適用した遊技機（スロットマシン）の正面図、図２は、前扉を開けた状態の遊技機の斜視図である。なお、以下の説明では、図１において紙面手前側、図２において左斜め下方を「前方または表面」とし、図１において紙面奥側、図２において右斜め上方を「後方または裏面」とし、図１において左側、図２において左斜め上方を「左方」とし、図１において右側、図２において右斜め下方を「右方」とする。
【００１３】
遊技機(１)は、遊技媒体を円板状のメダル（コインも含む）とし、このメダルを、筐体(２)における前扉(３)の右側に設けたメダル投入部(４)に投入することにより、後述のような所定のゲームが行われるものである。なお、前扉(３)は、筐体(２)の前面に開閉可能に枢支されている。
【００１４】
筺体(２)内には、外周面に複数種類の図柄が描かれた左、中、右３個の回転リール(５)と、メダルを貯留及び払出可能なホッパーユニット(６)と、遊技全体を統括的に制御する主制御基板(７)と、主制御基板(７)から出力される制御信号に基づいて、前扉(３)の裏面側に設けられた各種遊技情報及び演出を表示可能な液晶表示ユニット(31)、効果音を発生するスピーカ(32)、光により演出効果を盛り上げるランプ(33)等に制御信号を出力可能な副制御基板(８)と、主制御基板(７)へ電力を供給する電源装置(10)が収容されている。
【００１５】
前扉(３)の前面には、液晶表示ユニット(31)に表示される遊技情報及び演出を視認可能な遊技情報表示窓(34)と、各回転リール(５)の図柄を３こまずつ視認可能な図柄表示窓(35)と、前扉(３)の裏面に設けられた中部基板(3a)に表示されるメダルの払出数、クレジット数等の各種情報を視認可能な複数の情報表示窓(36)と、遊技を行うときにメダルが投入されるメダル投入部(４)と、各種スイッチが設けられたスイッチ操作部(37)と、メダルを受け入れ可能な受け皿(39)とが設けられている。なお、クレジット数とは、予めメダル投入部(４)に投入されたメダルを電気的に記憶して貯留する数である。
【００１６】
スイッチ操作部(37)には、クレジット状態のメダルを精算するときに操作される精算スイッチボタン(40)、クレジット状態のメダルを１枚ずつゲームに投資するときに操作される１枚ベットスイッチボタン(41)、最大数の３枚のメダルをゲームに投資するときに操作されるＭＡＸベットスイッチボタン(42)、各回転リール(５)を回転させるときに操作されるスタートスイッチレバー(43)、及び各回転リール(５)の回転を停止させるときに操作されるストップスイッチボタン(44)等が設けられている。
【００１７】
図３は、前扉(３)のほぼ下半分の後面図を示す。前扉(３)の後面の下半分には、主なものとして、メダル投入部(４)の下方に位置し、かつメダル投入部(４)に投入されたメダルの真偽を判別可能なメダルセレクター(11)と、メダルセレクター(11)から放出される真のメダルをホッパーユニット(６)内に誘導するメダルシュート(17)と、メダルセレクター(11)から排出される偽のメダルを前扉(３)のメダル受皿(39)に誘導する返却ダクト(20)とが設けられている。
【００１８】
図４は、メダルセレクター(11)の後面図、図５は、図４におけるＶ−Ｖ線に沿う縦断面図を示す。メダルセレクター(11)は、合成樹脂製のセレクターベース(12)と、セレクターベース(12)の後面に設けられる合成樹脂製の開閉ガイド板(13)と、セレクターベース(12)の前面に設けられるソレノイド(図示略)と、メダルの通過を検出するメダル通過検出手段(15)と、不正具の侵入を検出する不正検知受光器(23)とを主要部として構成される。
【００１９】
セレクターベース(12)の後面には、メダル投入部(４)の投入口と連通する垂直路(16a)と、この垂直路(16a)の下端に湾曲路を介して連続し、下方に緩やかに傾斜する傾斜路(16b)とからなり、メダル投入部(４)に投入されたメダルを案内して筐体(２)内に取込むためのメダル通路(16)が形成されている。このメダル通路(16)の幅は、メダルの直径とほぼ等しくなっている。また、メダル通路(16)における傾斜路(16b)の端部に設けられる出口(16c)を通過したメダルは、セレクターベース(12)に接続されるメダルシュート(17)により案内されてホッパーユニット(６)内に放出される。
【００２０】
開閉ガイド板(13)は、上端のやや側方寄りの個所がセレクターベース(12)の後面上部の隅部に突設した後方を向く１対の支持片(12a)にピン(18)により枢着されるとともに、ねじりばね(19)により常時セレクターベース(12)の後面に当接するように付勢されている。また、開閉ガイド板(13)におけるメダル通路(16)に対向する部分には、返却ダクト(20)にメダルを横倒しさせて排出するための排出口(13a)が大きく開口されている。
【００２１】
メダル通路(16)の傾斜路(16b)には、前記ソレノイドがオフ状態のとき、傾斜路(16b)から突出し、また、前記ソレノイドがオン状態のとき、傾斜路(16b)内に没入するブロックピン(25)が設けられている。このブロックピン(25)は、突出状態にあるとき、投入部(４)に投入されたメダルの通過を阻止し、また、没入状態にあるとき、メダルの通過を可能にして、メダルシュート(17)に放出させる。なお、前記ソレノイドは、遊技ホールが準備中で遊技機(１)が未稼働状態にあるときにはオフ状態にあり、また、遊技機(１)が稼働状態にあるときには、オン状態となるように制御される。
【００２２】
なお、前記ソレノイドがオン状態であっても、正規のメダルの直径より小さいメダル等が投入された際には、メダルが横倒しされて排出口(13a)から返却ダクト(20)に排出されるようになっている。
【００２３】
メダル通路(16)にメダルが詰まった場合には、前扉(３)の前面に設けられたリジェクトボタン(3b)（図１参照）を押して、開閉ガイド板(13)を後方へ揺動させてセレクターベース(12)の後面から離間させる。これにより、メダルはメダル通路(16)から落下して、返却ダクト(20)に排出される。
【００２４】
メダル通過検出手段(15)は、図５に示すように、投光軸が後方を向くようにした投光器(21)と、傾斜路(16b)に埋設され、受光軸が斜め上下方向を向くようにした受光器(22)とからなる透過型のフォトマイクロセンサにより形成される第１メダル検知センサ(S1)及び第２メダル検知センサ(S2)を、メダルの移動方向に沿う上流側（メダル投入部(４)寄り側）と下流側（メダルシュート(17)寄り側）に沿って２組ずつ組込んで構成されている。
【００２５】
投光器(21)には、例えば赤外線発光ダイオードよりなる発光素子が、また受光器(22)には、例えば、フォトトランジスタよりなる受光素子が、それぞれ用いられている。
【００２６】
投光器(21)から発せられる光は、投光器(21)の対向箇所に設けられた反射板(24)により斜め下方へ反射されて受光器(22)が受光し、また、投入メダル(Ｍ)が第１、２メダル検知センサ(S1)(S2)を通過する時には、投光器(21)から発せられる光は、メダルの上端部により遮断されて、受光器(22)が受光不能となる。
【００２７】
不正検知受光器(23)は、メダル通路(16)における傾斜路(16b)の第１メダル検知センサ(S1)の上流側に設けられ、メダル投入部(４)からメダル通路(16)に、発光素子(A1)(A2)を組み込んだ不正具(Ａ)（図９参照）が挿入されたとき、発光素子(A1)(A2)が発する光のみに反応するものである。したがって、メダルセレクター(11)には、不正検知受光器(23)に対応する投光器は設けられていない。
【００２８】
図６は、本発明に係わる制御回路のブロック図を示す。スイッチ操作部(37)、第１、２メダル検知センサ(S1)(S2)の受光器(22)及び不正検知受光器(23)は、主制御基板(７)の入力ポートに接続され、また、ホッパーユニット(６)、副制御基板(８)、第１、２メダル検知センサ(S1)(S2)の投光器(21)は、主制御基板(７)の主力ポートに接続される。また、副制御基板(８)の出力ポートには、液晶表示ユニット(31)、スピーカ(32)、ランプ(33)がそれぞれ接続される。
【００２９】
遊技機(１)の遊技は、遊技者がメダルをメダル投入部(４)に投入した後、１枚ベットスイッチボタン(41)またはＭＡＸベットスイッチボタン(42)によりメダルの賭数を設定した後、スタートスイッチレバー(43)を操作して、全ての回転リール(５)を回転させることによって開始される。
【００３０】
なお、１枚ベットスイッチボタン(41)またはＭＡＸベットスイッチボタン(42)が操作された場合には、その賭数に応じたメダル数がクレジット数から減算される。また、メダル投入部(４)に投入されたメダルは、メダルセレクター(11)によりメダルの真偽が判別され、真と判別されたメダルは、メダルセレクター(11)のメダル通路(16)、メダルシュート(17)を通ってホッパーユニット(６)に放出され、また、偽と判別されたメダルは、メダル通路(16)から落下して、返却ダクト(20)を通ってメダル受皿(39)に戻される。
【００３１】
回転リール(５)が回転して所定時間が経過した後、３個のストップスイッチボタン(44)を順次操作して、各回転リール(５)の回転を停止させ、停止した３個の回転リール(５)の図柄の組み合わせにより、入賞の有無、及び賞の大小に応じたメダルの配当枚数が確定され、入賞した場合には、予め定めた入賞枚数分だけクレジット数に加算される。クレジット数が５０枚を超過した場合には、その超過分に相当する数のメダルがホッパーユニット(６)からメダル受皿(39)に払い出される。
【００３２】
図７は、メダルセレクター(11)の概念図、図８は、メダル通過の検出の流れを示すの概念図、図９は、不正具(Ａ)の侵入状態を示す概念図、図１０は、メダル検出の流れを示すタイムチャートである。なお、図８(ａ)〜(ｅ)は、図１０に示す(ａ)〜(ｅ)領域にそれぞれ対応する状態を示している。
【００３３】
メダル投入部(４)に投入されたメダル(Ｍ)は、メダル通路(16)を上流側から下流側へ移動し、不正検知受光器(23)を横切り、かつメダル通過検出手段(15)の手前にある状態（図８(ａ)及び図１０の(ａ)領域を参照）を経て、第１メダル検知センサ(S1)を横切る（図８(ｂ)及び図１０の(ｂ)領域を参照）。このとき、第１メダル検知センサ(S1)における投光器(21)が発する光は、メダル(Ｍ)により遮断されるため、第１メダルセンサ(S1)の受光器(22)により受光されない。したがって、第１メダルセレクター(S1)の受光器(22)はオフ状態となる。なお、不正検知受光器(23)は、メダル(Ｍ)の通過に対しては何ら反応しない。
【００３４】
続いて、メダル(Ｍ)が第２メダルセンサ(S2)を横切る（図８(ｃ)及び図１０の(ｃ)領域を参照）と、第２メダル検知センサ(S2)における投光器(21)が発する光は、メダル(Ｍ)に遮断されるため、第２メダル検知センサ(S2)の受光器(22)により受光されない。したがって、第２メダルセレクター(S2)の受光器(22)はオフ状態となる。さらに、メダル(Ｍ)が下流側へ移動し、第１メダル検知センサ(S1)、第２メダル検知センサ(S2)を順次通過（図８(ｄ)、(ｅ)及び図１０の(ｄ）、(ｅ)領域を参照）すると、第１メダル検知センサ(S1)の受光器(22)、第２メダル検知センサ(S2)の受光器(22)が順次オン状態となる。
【００３５】
上述のように、第１メダル検知センサ(S1)の受光器(22)、第２検知センサ(S2)の受光器(22)の順序でオフ、オンして、この信号が主制御基板(７)に入力されることにより、真のメダルであると判別して、検出数をクレジット数に加算する。
【００３６】
図９に示すように、不正具(Ａ)がメダル投入部(４)からメダル通路(16)に挿入された場合には、不正検知受光器(23)は、不正具(Ａ)の発光素子(A1)(A2)から発せられる光を受光し、図１０の(ａ)領域においてオン状態(ａ1)となる。主制御基板(７)は、不正検知受光器(23)のオン状態に基づく信号を入力することにより、異常報知信号を出力し、報知手段をなすスピーカ(32)、ランプ(33)を作動させ、異常状態であることを報知するとともに、前記ソレノイドによりブロックピン(25)を突出させ、これ以後の、メダル(Ｍ)の投入及び不正具(Ａ)の侵入を阻止する。また、これと同時に、遊技店の集中管理コンピュータにも異常状態である旨の信号を出力する。
【００３７】
以上、本発明の実施形態について説明したが、本発明の要旨を逸脱しない範囲内で、本実施形態に対して、次のような種々の変形や変更を施すことが可能である。
（ｉ）メダル検出手段(15)を、第１または第２メダル検知センサ(S1)(S2)のいずれか１個とする。
（ii）不正検出受光器(23)を第１メダル検知センサ(S1)と第２メダル検知センサ(S2)との間に配置する。
【図面の簡単な説明】
【００３８】
【図１】本発明を適用した遊技機の正面図である。
【図２】前扉を開けた状態の遊技機の斜視図である。
【図３】前扉の下半分の後面図である。
【図４】メダルセレクターの後面図である。
【図５】図４におけるＶ−Ｖ線に沿う縦断面図である。
【図６】制御回路のブロック図である。
【図７】メダルセレクターの概念図である。
【図８】メダル通過の流れを示す概念図である。
【図９】不正具の侵入状態を示す概念図である。
【図１０】メダル検出の流れを示すタイムチャートである。
【符号の説明】
【００３９】
(１)遊技機
(２)筐体
(３)前扉
(3a)中部基板
(3b)リジェクトボタン
(４)メダル投入部
(５)回転リール
(６)ホッパーユニット
(７)主制御基板
(８)副制御基板
(10)電源装置
(11)メダルセレクター
(12)セレクターベース
(12a)支持片
(13)開閉ガイド板
(13a)排出口
(15)メダル通過検出手段
(16)メダル通路
(16a)垂直路
(16b)傾斜路
(16c)出口
(17)メダルシュート
(18)ピン
(19)ねじりばね
(20)返却ダクト
(21)投光器
(22)受光器
(23)不正検知受光器
(24)反射板
(25)ブロックピン
(31)液晶表示ユニット
(32)スピーカ（報知手段）
(33)ランプ（報知手段）
(34)遊技情報表示窓
(35)図柄表示窓
(36)情報表示窓
(37)スイッチ操作部
(39)メダル受皿
(40)精算スイッチボタン
(41)１枚ベットスイッチボタン
(42)ＭＡＸベットスイッチボタン
(43)スタートスイッチレバー
(44)ストップスイッチボタン
(Ａ)不正具
(A1)(A2)発光素子（メダル検知センサの投光器以外の他の投光器）
(Ｍ)メダル
(S1)第１メダル検知センサ
(S2)第２メダル検知センサ
【図１】
2006180962.tif 000003
【図２】
2006180962.tif 000004
【図３】
2006180962.tif 000005
【図４】
2006180962.tif 000006
【図５】
2006180962.tif 000007
【図６】
2006180962.tif 000008
【図７】
2006180962.tif 000009
【図８】
2006180962.tif 000010
【図９】
2006180962.tif 000011
【図１０】
2006180962.tif 000012